(57)【要約】      （修正有）【課題】フィルタユニットの内部に気密または液密の状態で保持されているフィルタ本体を、そのボディに対して簡易に着脱できるようにしたフィルタユニットを提供する。【解決手段】フィルタユニットは、上ボディ１と、下ボディ２と、サイドボディ３と、シールリング４とを、その主要部として有している。そして、それら上ボディ１と下ボディ２とサイドボディ３とによって画定され、シールリング４によって気密または液密な状態に保たれる空間内に、シート状またはメンブレン状のフィルタ５を、着脱可能に保持するように構成されている。そして、サイドボディ３の回転運動によって、対向配置された上ボディ１および下ボディ２に対してそれらを上下方向に互いに押し当てる力を与える、回し締め機構７が設けられている。また、サイドボディ３を回転させた際に上ボディ１と下ボディ２とが相対的に回転することを抑止する回転止め機構が設けられている。【選択図】図１
2020175031.tif 000002
【特許請求の範囲】
【請求項１】
フィルタを通過した流体を吐出する吐出管路と、フィルタ上部支持面を有する天板部とを備えた上ボディと、
フィルタに流体を導く導入管路と、前記天板部のフィルタ上部支持面に対向して配置されて当該天板部のフィルタ上部支持面との間でシート状のフィルタを挟持するフィルタ下部支持面を有する底板部とを備えた下ボディであって、前記上ボディに対して着脱可能に設けられた下ボディと、
対向して配置された前記上ボディまたは前記下ボディの側面を囲むように、前記上ボディまたは前記下ボディに着脱可能に組み付けられるサイドボディと、
を有して、
前記上ボディと前記下ボディとの間に、前記シート状のフィルタを着脱可能に保持する
ことを特徴とするフィルタユニット。
【請求項２】
請求項１記載のフィルタユニットにおいて、
前記フィルタ上部支持面から所定の距離に亘って離間した位置に前記フィルタを保持すると共に流体の導通路を形成するように設けられた上部支持突条と、
前記フィルタ下部支持面から所定の距離に亘って離間した位置に前記フィルタを保持すると共に、前記流体を前記フィルタに導く導通路を形成するように設けられた下部支持突条と、
を有することを特徴とするフィルタユニット。
【請求項３】
請求項１または２記載のフィルタユニットにおいて、
前記上ボディが前記天板部を天面とする有天面円筒状、または、前記下ボディが前記底板部を底面とする有底面円筒状に形成されており、
前記上ボディと前記下ボディのうちの一方が、回転止め凸部を有し、
前記上ボディと前記下ボディのうちの他方が、前記一方に対して対向配置された状態で前記回転止め凸部に係合して前記一方に対する相対的な回転運動を抑止する回転止め凹部を有し、
前記サイドボディが、対向配置された前記上ボディおよび前記下ボディに対して相対的な回転運動が可能に設けられた環状のものであり、かつ、
前記サイドボディの回転運動によって、対向配置された前記上ボディおよび前記下ボディに対してそれらを上下方向に互いに押し当てる力を与える回し締め機構の少なくとも一組の対偶が、前記上ボディおよび前記下ボディの少なくとも一方と前記サイドボディとに、それぞれ設けられている
ことを特徴とするフィルタユニット。
【請求項４】
請求項３記載のフィルタユニットにおいて、
前記回し締め機構の一組の対偶の一方として、少なくとも部分的に傾斜面または螺旋面を有する傾斜突起部が、前記上ボディおよび前記下ボディのうち少なくとも一方、または、前記サイドボディに設けられており、かつ、
前記回し締め機構の一組の対偶の他方として、前記サイドボディの回転によって前記傾斜突起部の傾斜面または螺旋面に沿って相対的に移動して当該傾斜面または螺旋面に対して前記上ボディおよび前記下ボディを互いに押し当てる力を与える第１突起部と、第２突起部またはフランジ部とが、前記傾斜突起部が前記上ボディと前記下ボディのうち少なくとも一方に設けられている場合には、前記サイドボディに設けられており、前記傾斜突起部が前記サイドボディに設けられている場合には、前記上ボディと前記下ボディのうち少なくとも一方に設けられている
ことを特徴とするフィルタユニット。
【請求項５】
請求項１から４のいずれかに記載のフィルタユニットにおいて、
前記フィルタが、ＰＴＦＥからなるシート状またはメンブレン状のフィルタである
ことを特徴とするフィルタユニット。
【請求項６】
請求項１から５のいずれかに記載のフィルタユニットにおいて、
当該フィルタユニットが、吸引器に用いられるものである
ことを特徴とするフィルタユニット。
【発明の詳細な説明】
【技術分野】
【０００１】
本発明は、フィルタユニットに関する。
【背景技術】
【０００２】
特許文献１には、使い捨ての体液フィルタユニットおよび体液吸引器が提案されている。
【先行技術文献】
【特許文献】
【０００３】
【特許文献１】特開２００５―２８７５２０号公報
【発明の概要】
【発明が解決しようとする課題】
【０００４】
吸引器用のフィルタユニットは一般に、所謂使い捨て式のものが多い。
そのうちでも特に、ＰＴＦＥフィルタのような薄いシート状のフィルタ乃至メンブレンフィルタを内蔵してなる所謂薄型（または円盤状）のフィルタユニットは、ほとんどが使い捨て方式のものであった。
特にＰＴＦＥは、その特質、すなわち気体は容易に通過させるが液体は撥ねつけて透過させない、薄い板にすれば甚だ屈曲性に富んだゴムと金属の中間的物性を有する、耐薬品性・耐熱性に優れる、といった特質が、吸引器等のフィルタユニットに好適である。このため、ＰＴＦＥフィルタは吸引器用のフィルタユニット用に盛んに用いられるようになっている。
【０００５】
しかしながら、上述のような所謂使い捨て式のフィルタユニットは、吸引器用に限らず一般に、次のような技術的不都合を有している。
すなわち、
‐  １つのフィルタユニットに内蔵されているフィルタと共に、外殻つまり所謂ボディ全体が使い捨てになる。一般にボディはフィルタよりも使用に耐える期間つまり寿命が長いので、そのボディを構成している合成樹脂等のハードウェア資源が無駄になる。
‐  １つのフィルタユニットに内蔵されているフィルタに例えば異物が絡み付いた場合などには、そのフィルタの本来の寿命は尽きていないにもかかわらず、フィルタユニット全体を捨てなければならない。よって、内蔵されているフィルタ本体とそれを保持しているボディとの両方が、つまりフィルタユニット全体のハードウェア資源が、無駄になる。
‐  フィルタ本体のみを取り替えたくても、それは不可能である。つまり、例えば１つのフィルタユニットに内蔵されているフィルタ本体の所謂番手（肌理）を最適なものに変更したい場合、そのフィルタ本体のみを取り替えたくても、それは不可能なので、フィルタユニット全体を別の（所謂番手の適合した）ものに交換しなくてはならない。また、そのハンドリングが煩雑である等の不都合もある。
【０００６】
本発明の目的は、上述のような不都合を解消することのできるフィルタユニットを提供することにある。
【課題を解決するための手段】
【０００７】
（１）  本発明のフィルタユニットは、フィルタを通過した流体を吐出する吐出管路と、フィルタ上部支持面を有する天板部とを備えた上ボディと、フィルタに流体を導く導入管路と、前記天板部のフィルタ上部支持面に対向して配置されて当該天板部のフィルタ上部支持面との間でシート状のフィルタを挟持するフィルタ下部支持面を有する底板部とを備えた下ボディであって、前記上ボディに対して着脱可能に設けられた下ボディと、対向して配置された前記上ボディまたは前記下ボディの側面を囲むように、前記上ボディまたは前記下ボディに着脱可能に組み付けられるサイドボディと、を有して、前記上ボディと前記下ボディとの間に、前記シート状のフィルタを着脱可能に保持する。
（２）  好適には、前記フィルタ上部支持面から所定の距離に亘って離間した位置に前記フィルタを保持すると共に流体の導通路を形成するように設けられた上部支持突条と、前記フィルタ下部支持面から所定の距離に亘って離間した位置に前記フィルタを保持すると共に、前記フィルタを透過させるべき流体の導通路を形成するように設けられた下部支持突条とを有する。
（３）  また、好適には、前記上ボディが前記天板部を天面とする有天面円筒状、または、前記下ボディが前記底板部を底面とする有底面円筒状に形成されており、前記上ボディと前記下ボディのうちの一方が、回転止め凸部を有し、前記上ボディと前記下ボディのうちの他方が、前記一方に対して対向配置された状態で前記回転止め凸部に係合して前記一方に対する相対的な回転運動を抑止する回転止め凹部を有し、前記サイドボディが、対向配置された前記上ボディおよび前記下ボディに対して相対的な回転運動が可能に設けられた環状のものであり、かつ、前記サイドボディの回転運動によって、対向配置された前記上ボディおよび前記下ボディに対してそれらを上下方向に互いに押し当てる力を与える回し締め機構の少なくとも一組の対偶が、前記上ボディおよび前記下ボディの少なくとも一方と前記サイドボディとに、それぞれ設けられている。
（４）  また、好適には、前記回し締め機構の一組の対偶の一方として、少なくとも部分的に傾斜面または螺旋面を有する傾斜突起部が、前記上ボディおよび前記下ボディのうち少なくとも一方または前記サイドボディに設けられており、かつ、前記回し締め機構の一組の対偶の他方として、前記サイドボディの回転によって前記傾斜突起部の傾斜面または螺旋面に沿って相対的に移動して当該傾斜面または螺旋面に対して前記上ボディおよび前記下ボディを互いに押し当てる力を与える第１突起部と、第２突起部またはフランジ部とが、前記傾斜突起部が前記上ボディと前記下ボディのうち少なくとも一方に設けられている場合には、前記サイドボディに設けられており、前記傾斜突起部が前記サイドボディに設けられている場合には、前記上ボディと前記下ボディのうち少なくとも一方に設けられている。
（５）  また、好適には、前記フィルタが、ＰＴＦＥからなるシート状またはメンブレン状のフィルタである。
（６）  また、好適には、当該フィルタユニットは、医療用吸引器に用いられるものである。
【発明の効果】
【０００８】
本発明によれば、フィルタユニットの内部に保持されているフィルタ（本体）を、そのボディに対して簡易に着脱できるようにして、そのフィルタの交換や洗浄等を行うことが可能となった。
【図面の簡単な説明】
【０００９】
【図１】本発明の一実施形態に係るフィルタユニットの主要な構成を分解図として示す説明図である。
【図２】本発明の一実施形態に係るフィルタユニットの上ボディのフィルタ保持面（図２（ａ））と下ボディのフィルタ保持面（図２（ｂ））とを示す説明図である。
【図３】本発明の一実施形態に係るフィルタユニットの上ボディと下ボディとを組み付け、それをさらにサイドボディに組み付ける状態を示す説明図である。
【図４】本発明の一実施形態に係るフィルタユニットを斜視図として示す説明図である。
【図５】本発明の一実施形態に係るフィルタユニットの主要な内部構成を断面図として示す説明図である。
【図６】本発明の一実施形態に係るフィルタユニットを装着した吸引瓶を吸引器本体の保持部に保持させた場合の一例を示す説明図である。
【図７】本発明の一実施形態に係るフィルタユニットにおける、第１の変形例を示す説明図である。
【図８】本発明の一実施形態に係るフィルタユニットにおける、第２の変形例を示す説明図である。
【発明を実施するための形態】
【００１０】
図１は、本発明の一実施形態に係るフィルタユニットの主要な構成を分解図として示す説明図である。
【００１１】
このフィルタユニットは、上ボディ１と、下ボディ２と、サイドボディ３と、シールリング４とを、その主要部として有している。
そして、それら上ボディ１と下ボディ２との間に、例えばＰＴＦＥのような材料からなるシート状またはメンブレン状のフィルタ５を着脱可能に保持するように構成されている。
【００１２】
さらに詳しくは、次のように構成されている。
上ボディ１は、吐出管路１１と、天板部１２と、円筒状の側部１３とを有する。
吐出管路１１は、フィルタ５を通過した流体を、このフィルタユニットからその外部へ吐出する。
天板部１２は、フィルタ５の上面を支持するフィルタ上部支持面１０１（天板部１２の裏側の面なので図１では省略し、図２に記載）を有する。天板部１２には、吐出管路１１が設けられている。
そして、上ボディ１のフィルタ上部支持面１０１に、側部１３の内周面に沿うようにシールリング４が装着される構造となっている。
【００１３】
下ボディ２は、導入管路２１と、底板部２２とを有する。
導入管路２１は、フィルタリングを施す対象の流体を、このフィルタユニット内に導入する。
底板部２２は、そのフィルタ下部支持面２０１が上ボディ１の天板部１２のフィルタ上部支持面１０１に対向して配置されて、その天板部１２のフィルタ上部支持面１０１との間にシート状のフィルタ５を保持する。
そして、この下ボディ２の導入管路２１には、例えば吸引瓶（図１では省略）に装着される際にその吸引瓶に設けられている装着孔（図示省略）との間での気密性を確保するためのオー・リング（O-ring）６が装着される。
【００１４】
サイドボディ３は、上述のようにして対向配置された上ボディ１および下ボディ２の周囲を囲むように、それら上ボディ１および下ボディ２に着脱可能に組み付けられる。
そして、このサイドボディ３を回転させることによって、上ボディ１と下ボディ２とを上下方向に互いに押し当てる力をそれら上ボディ１と下ボディ２とに与えて、それら上ボディ１と下ボディ２とで画定される空間内にフィルタ５を気密または液密に保持するように形成されている。
【００１５】
シールリング４は、上ボディ１のフィルタ上部支持面１０１に、側部１３の内周面に沿うように装着される。
このシールリング４によって、上ボディ１と下ボディ２とで画定される空間、つまりこのフィルタユニットの実質的な内部空間が、確実に、気密（または液密）状態に保たれる。
【００１６】
図２は、本発明の一実施形態に係るフィルタユニットの上ボディのフィルタ保持面（図２（ａ））と下ボディのフィルタ保持面（図２（ｂ））とを示す説明図である。
【００１７】
図２（ａ）に示すように、上ボディ１の天板部１２のフィルタ上部支持面１０１には、そのフィルタ上部支持面１０１から所定の距離に亘って上下方向に離間した位置にフィルタ５を保持すると共に、流体の導通路を形成するように、上部支持突条１０２が設けられている。
また、図２（ｂ）に示すように、下ボディ２のフィルタ下部支持面２０１から所定の距離に亘って上下方向に離間した位置にフィルタ５を保持すると共に、そのフィルタ５を透過させるべき流体の導通路を形成するように、下部支持突条２０２が設けられている。
【００１８】
このフィルタユニットには、サイドボディ３の回転運動によって、対向配置された上ボディ１および下ボディ２に対してそれらを上下方向に互いに押し当てる力を与える、回し締め機構７が設けられている。
その回し締め機構７は、より詳細には、次のような構成部位を有して成り立っている。
【００１９】
図３は、本発明の一実施形態に係るフィルタユニットの上ボディと下ボディとを組み付けた状態であって、それをさらにサイドボディに組み付けてそのサイドボディを回転させる前段階の状態を示す説明図である。
【００２０】
図１および図３に示すように、回し締め機構７の一組の対偶の一方として、部分的に傾斜面７１１を有する傾斜突起部７１が、上ボディ１の側部１３に設けられている。
そして、回し締め機構７の一組の対偶の他方として、第１突起部７２とフランジ部７３とが、サイドボディ３の内周面に設けられている。
すなわち、サイドボディ３の回転によって傾斜突起部７１の傾斜面７１１に沿って第１突起部７２が相対的に移動して、その傾斜面７１１に対して上ボディ１と下ボディ２とを互いに押し当てる力を与えるべく、第１突起部７２とフランジ部７３とが、サイドボディ３の内周面に設けられている。
【００２１】
また、このフィルタユニットには、フィルタ５を挟んで対向配置された状態の上ボディ１と下ボディ２とに対して、相対的にサイドボディ３を回転運動させたときに、そのサイドボディ３の回転に伴う摩擦力などに引き摺られて上ボディ１と下ボディ２とが相対的に回転することを抑止するべく、それら上ボディ１と下ボディ２とに回転止め機構８が設けられている。
その回転止め機構８は、より詳細には、次のような構成部位を有して成り立っている。
図２（ａ）に示すように、上ボディ１には、回転止め凹部８１が設けられている。
また、図２（ｂ）に示すように、下ボディ２には、回転止め凸部８２が設けられている。
そして、図３に示したように、回転止め凹部８１に回転止め凸部８２が噛み合うように、上ボディ１と下ボディ２とを対向配置して組み付けることで、それら回転止め凹部８１と回転止め凸部８２との噛み合わせによって成り立つ回転止め機構８により、上ボディ１と下ボディ２との相対的な回転が抑止される。
【００２２】
このように、回転止め機構８によって、上ボディ１と下ボディ２との相対的な回転が抑止される。
従って、特に所謂メンブレンフィルタやＰＴＦＥフィルタのような薄い材質からなるフィルタ５を用いる場合に、そのフィルタ５を挟持する上ボディ１と下ボディ２との相対的な回転に起因して発生する虞のあったフィルタ５の皺や捩れ等の不都合を、回転止め機構８の上述のような作用によって、解消することが可能となる。
【００２３】
図４は、本発明の一実施形態に係るフィルタユニットを斜視図として示す説明図である。
【００２４】
上述のようにして対向配置して組み付けられた上ボディ１と下ボディ２とを、図３、図４に示すように環状のサイドボディ３の環内に落とし込み、サイドボディ３を曲線矢印Ｒで示した方向に回転させることにより、傾斜突起部７１の傾斜面７１１に沿って第１突起部７２が相対的に移動して、上ボディ１を下ボディ２に押し付ける力が、上ボディ１の傾斜突起部７１の傾斜面７１１に対して与えられる。その際、下ボディ２はその底面（下面）の周縁部がサイドボディ３の内周面下端部に設けられたフランジ部７３によって下から支えられた状態になっているので、そのフランジ部７３が、上ボディ１を下ボディ２に押し付ける力の反作用を担うこととなる。
従って、サイドボディ３を回転させると、対向配置された上ボディ１と下ボディ２は、傾斜突起部７１に与えられる下方向への力とその反作用としてフランジ部７３から与えられる上方向への力とにより、互いに押し当てられることとなる。
そして、このように対向配置された上ボディ１と下ボディ２とが互いに押し当てられた状態は、サイドボディ３を曲線矢印Ｒの逆方向に回転させて、両ボディ１、２を互いに押し当てていた力を解除するまで、確実に継続されることとなる。
【００２５】
また、サイドボディ３を回転させる際に、そのサイドボディ３の回転の際の摩擦力によって、上ボディ１と下ボディ２とを引き摺って相対的に回転させようとする力が働くが、それら両ボディ１、２には、上述のとおり、回転止め機構８が設けられているので、それら両ボディ１、２の相対的な回転が抑止される。
従って、フィルタ５を挟持する上ボディ１と下ボディ２との相対的な回転に起因して発生する虞のあったフィルタ５の皺や捩れ等の不都合が解消される。
【００２６】
このようにして、上ボディ１と下ボディ２とを対向配置し、それらとサイドボディ３とを組み付けて、サイドボディ３を曲線矢印Ｒの方向に回転させることにより、図４に示すような本実施形態のフィルタユニットが組み立てられ、その内部にフィルタ５を、高い信頼性を以て継続的に、かつ確実に気密または液密に、保持することが可能となる。
また、それとは逆に、サイドボディ３を曲線矢印Ｒとは逆の方向に回転させることにより、上ボディ１と下ボディ２とサイドボディ３との組み付けが解除される、つまり図４に示すような本実施形態のフィルタユニットが図１に示すように分解されて、その内部に保持されていたフィルタ５を取り出して、例えば新しいものと交換することや、洗浄して再使用することなどが可能となる。
【００２７】
図５は、本発明の一実施形態に係るフィルタユニットの主要な内部構成を断面図として示す説明図である。
【００２８】
上述のようにして組み立てられたフィルタユニットは、図５に示すように、上ボディ１と下ボディ２とが対向して配置された状態において、フィルタ５を、上部支持突条１０２と下部支持突条２０２との間に挟持した状態で、上ボディ１と下ボディ２とによって画定される気密または液密の空間内に保持する。
また、サイドボディ３を図３の曲線矢印Ｒとは逆方向に回転させると、上ボディ１と下ボディ２との組み付けが解除され、上部支持突条１０２と下部支持突条２０２との間からフィルタ５を取り出すことが可能な状態となる。
【００２９】
図６は、本発明の一実施形態に係るフィルタユニットを装着した吸引瓶を吸引器に保持させて用いた場合の一例を示す説明図である。なお、この図６では、吸引チューブ等の図示は省略してある。
【００３０】
上述のようにして組み立てられた、本実施形態に係るフィルタユニット１０は、例えば、吸引器９に用いられる吸引瓶６０に装着して使用することができる。
より具体的には、吸引瓶６０の瓶本体６１の上部に配置された上蓋６２の天板部６２１上に装着して使用される。なお、この場合、吸引瓶６０の上蓋６２の天板部６２１には、フィルタユニット１０の導入管路２１を挿入し固定することが可能に形成された貫通孔（図示省略）が設けられていることが必要であることは勿論である。
【００３１】
あるいは、上述のような吸引器への用途以外にも、図示は省略するが、例えば化学分析用、シリンジ用、濾過用など、幅広い分野において、本実施形態に係るフィルタユニットを使用することが可能である。
【００３２】
なお、回し締め機構７の一組の対偶の具体的な構成としては、上述の一実施形態で説明した構成のみには限定されない。
上述の一実施形態で説明した上ボディ１の形状と下ボディ２の形状とを、逆にするようにしてもよい。つまり、図示は省略するが、上ボディ１を天板状とし、下ボディ２を有底面円筒状としてもよい。
【００３３】
また、図示は省略するが、上述の一実施形態では上ボディ１に設けられていた傾斜突起部７１を、フランジ部７３と共にサイドボディ３の内周面に設け、かつ、上述の一実施形態ではサイドボディ３に設けられていた第１突起部７２を、上ボディ１に設けるようにすることも可能である。
【００３４】
また、上述の実施形態では、サイドボディ３の下端部にフランジ部７３を設けているが、フランジ部７３の代わりに、第２突起部（図示省略）をサイドボディ３の内周面に設けた構造とすることも可能である。
すなわち、図示は省略するが、上ボディ１と下ボディ２とを互いに上下対称な形状とし、その両方に、同じような傾斜面を有する上ボディ側（第１）突起部と下ボディ側（第２）突起部とを、上下対称な形で以て各々設けると共に、それに対する回し締め機構７の対偶として、同じような形状のサイドボディ側第１（上部）突起部とサイドボディ側第２（下部）突起部とを、上下対称な形で以てサイドボディの内周面に設けるようにしてもよい。
この場合、上ボディ側（第１）突起部がその対偶であるサイドボディ側第１（上部）突起部と協働し、下ボディ側（第２）突起部がその対偶であるサイドボディ側第２（下部）突起部と協働して、上ボディ１と下ボディ２とを互いに押し当てる力が、それら両ボディ１、２に与えられることとなる。
【００３５】
あるいは、傾斜突起部７１は、少なくとも部分的に螺旋面を有する形状または全体的に螺旋状の突起とすることも可能である。
あるいはさらに、第１突起部７２も螺旋面を有する形状または螺旋状の突起とすることも可能である。つまり、この場合の回し締め機構７は、あたかも所謂ボルト・アンド・ナット機構のような態様となる。
すなわち、図示は省略するが、円筒状のサイドボディ３の内周面に螺旋状の突起部を設けて、これとフランジ部７３とで、回し締め機構７の対偶の一方を構成すると共に、円筒状の上ボディ１の側部１３の外周面に、上述のサイドボディ３の螺旋状の突起に適合する螺旋状の突起部を設けて、これを回し締め機構７の対偶の他方の構成とする。
これら両螺旋状の突起部を噛み合わせてサイドボディ３を回転させれば、上ボディ１と下ボディ２とを互いに押し当てる力が、それら両ボディ１、２に与えられることとなる。
【００３６】
図７は、本発明の一実施形態に係るフィルタユニットにおける、第１の変形例を示す説明図である。なお、この図７では、上述の一実施形態で説明した構成部位と基本的に同様の機能または形状を有する部位については、図１−図６に付したものと同じ符号を付して示してある。
【００３７】
この第１の変形例においては、回転止め機構８として、上述の一実施形態とは逆に、下ボディ２に回転止め凹部８８１が設けられており、上ボディ１に回転止め凸部８８２が設けられている。
これら回転止め凹部８８１と回転止め凸部８８２との噛み合わせによって成り立つ回転止め機構８によっても、上ボディ１と下ボディ２との相対的な回転を抑止することができる。
【００３８】
図８は、本発明の一実施形態に係るフィルタユニットにおける、第２の変形例を示す説明図である。なお、この図８では、上述の一実施形態で説明した構成部位と基本的に同様の機能または形状を有する部位については、図１−図６に付したものと同じ符号を付して示してある。
【００３９】
この第２の変形例は、本発明に係るフィルタユニットの構成を極めて簡略化したものである。
すなわち、図８に示すように、この第２の変形例のフィルタユニットは、上ボディ９１と、下ボディ９２と、サイドボディ９３と、シールリング９４ａ，９４ｂとを、その主要部として有している。
【００４０】
より詳しくは、この第２の変形例のフィルタユニットは、フィルタ５を通過した流体を吐出する吐出管路１１と、天板部１２とを備えた上ボディ９１と、フィルタ５を通過させる流体を導入する導入管路２１と、天板部１２のフィルタ上部支持面１０１に対向して配置されてその天板部１２のフィルタ上部支持面１０１との間でシート状のフィルタ５を挟持するフィルタ下部支持面２０１を有する底板部２２とを備えた下ボディ９２であって、上ボディ１に対して着脱可能に設けられた下ボディ９２と、対向して配置された上ボディ９１および下ボディ９２の側面を囲むように、それら上ボディ９１および下ボディ９２に着脱可能に組み付けられるサイドボディ９３と、シールリング９４ａ，９４ｂと、を有している。
サイドボディ９３は、例えば適度な弾力性を有する各種金属、ＡＢＳ樹脂、ポリエステル樹脂等からなるものとする。
そして、上ボディ９１と下ボディ９２とサイドボディ９３とによって画定される空間内に、シート状のフィルタ５が着脱可能に保持される。
【００４１】
この第２の変形例のフィルタユニットでは、サイドボディ９３の上端および下端に、それぞれその直径方向中心向きに伸びるフランジ部９０１ｂが設けられている。
【００４２】
すなわち、上ボディ９１のフィルタ上部支持面１０１に設けられている上部支持突条１０２と下ボディ９２のフィルタ下部支持面２０１に設けられている下部支持突条２０２との間にフィルタ５を挟持させ、それら上ボディ９１と下ボディ９２とを対向配置した状態で、それら上ボディ９１および下ボディ９２を、サイドボディ９３のフランジ部９０１ａ自体およびその付け根の部分およびフランジ部９０１ｂ自体およびその付け根の部分の有する適度な弾力性を利用して、そのサイドボディ９３の環内に嵌め込む。
サイドボディ９３の環内に嵌め込まれた上ボディ９１および下ボディ９２は、それらの周縁部がシールリング９４ａ，９４ｂを介してフランジ部９０１ａおよびフランジ部９０１ｂによって押え付けられることとなる。
つまり、上ボディ９１の外周部は、シールリング９４ａを介してフランジ部９０１ａに係止されて、上方向への移動が抑止されることとなる。また、下ボディ９２の外周部は、シールリング９４ｂを介してフランジ部９０１ｂに係止されて、下方向への移動が抑止されることとなる。そして、それら対向配置された両ボディ９１、９２は、互いに押し当てられて、フィルタ５を挟持した状態で、保持される。それら両ボディ９１、９２の側面がサイドボディ３およびシールリング９４ａ，９４ｂによって封止されて、それら全ボディ１、２、３により画定される空間が気密または液密の状態となる。
このようにして、上ボディ９１と下ボディ９２とサイドボディ９３とによって形成されるフィルタユニット内に、シート状のフィルタ５を気密または液密の状態で保持することができる。
【００４３】
また、フィルタ５を取り出す場合には、サイドボディ９３のフランジ部９０１ａおよびフランジ部９０１ｂの有する適度な弾力性を利用して、上ボディ９１および下ボディ９２の周縁部ならびにシールリング９４ａ，９４ｂを、フランジ部９０１ａおよびフランジ部９０１ｂによる押さえ付けから解放して、サイドボディ９３の外に（上方向または下方向に）取り出すことができる。そして、その取り出した上ボディ９１と下ボディ９２との間に挟持されていたフィルタ５を取り出すことができる。
【００４４】
このような極めて簡易な構成のフィルタユニットでも、フィルタ５を着脱可能とすることができる。
但し、このように極めて簡易な構成の場合、対向配置された上ボディ９１と下ボディ９２とを上下方向に互いに押し当てる力は、サイドボディ９３のフランジ部９０１ａおよびフランジ部９０１ｂの弾力性による力のみであり、また、気密性または液密性に関しても、上ボディ９１および下ボディ９２の周縁部に配置されたシールリング９４ａ，９４ｂの断弾力性によって保たれるだけなので、上述の一実施形態で説明したような回し締め機構７を備えた構成のフィルタユニットと比べると、信頼性・耐久性などの点で劣ることは否定できない。
しかし、その反面、極めて簡易な構成であることから、その製造プロセスが極めて簡易なものとなることや製造コストのさらなる低廉化が図れることなどの利点がある。
【００４５】
＜実施形態の構成および効果＞
（１）  本実施形態に係るフィルタユニットは、フィルタ５を通過した流体を吐出する吐出管路１１と、フィルタ上部支持面１０１を有する天板部１２とを備えた上ボディ１と、フィルタ５を通過させる流体を導入する導入管路２１と、天板部１２のフィルタ上部支持面１０１に対向して配置されてその天板部１２のフィルタ上部支持面１０１との間でシート状のフィルタ５を挟持するフィルタ下部支持面２０１を有する底板部２２とを備えた下ボディ２であって上ボディ１に対して着脱可能に設けられた下ボディ１と、対向して配置された上ボディ１および下ボディ２の側面を囲むように、それら上ボディ１および下ボディ２に着脱可能に組み付けられるサイドボディ３と、を有して、上ボディ１と下ボディ２との間に、シート状のフィルタ５を着脱可能に保持するように構成されている。
【００４６】
このような構成を有することから、フィルタユニットの内部に保持されているフィルタ５を、フィルタユニットに対して簡易に着脱できるようになり、そのフィルタ５を新しいものに交換することや、その取り出したフィルタに洗浄処理を施して再利用することなどが可能となる。
【００４７】
（２）  また、フィルタ上部支持面１０１から所定の距離に亘って離間した位置にフィルタ５を保持すると共に流体の導通路を形成するように設けられた上部支持突条１０２と、フィルタ下部支持面２０１から所定の距離に亘って離間した位置にフィルタ５を保持すると共にフィルタ５を透過させるべき流体の導通路を形成するように設けられた下部支持突条２０２と、を有するように構成されている。
【００４８】
このような構成を有することから、フィルタ５を透過させるべき流体をフィルタ５の全体（全面積）に亘って効率的に導通させて、そのフィルタ効率を良好なものとすることが可能となる。
【００４９】
（３）  また、上ボディ１が天板部１２を天面とする有天面円筒状、または、下ボディ２が底板部２２を底面とする有底面円筒状に形成されており、上ボディ１と下ボディ２のうちの一方が、回転止め凸部８２を有し、他方が、一方に対して対向配置された状態で回転止め凸部８２に係合して、一方に対する相対的な回転運動を抑止する回転止め凹部８１を有し、サイドボディ３が、対向配置された上ボディ１および下ボディ２に対して相対的な回転運動が可能に設けられた環状のものであり、かつ、サイドボディ３の回転運動によって、対向配置された上ボディ１および下ボディ２に対してそれらを上下方向に互いに押し当てる力を与える回し締め機構７の少なくとも一組の対偶が、上ボディ１および下ボディ２の少なくとも一方とサイドボディ３とに、それぞれ設けられている。
【００５０】
このような構成、特に回し締め機構７の構成を有することから、フィルタユニットの内部に、フィルタ５を、高い信頼性を以て継続的に、かつ確実に気密または液密に、保持することが可能となる。
また、それと共に、特に回転止め機構８の構成を有することから、所謂メンブレンフィルタやＰＴＦＥフィルタのような薄い材質からなるフィルタ５を用いる場合に、そのフィルタ５を挟持する上ボディ１と下ボディ２との相対的な回転に起因して発生する虞のあったフィルタ５の皺や捩れ等の不都合を、解消することが可能となる。
【００５１】
（４）  また、回し締め機構７の一組の対偶の一方として、少なくとも部分的に傾斜面７１１または螺旋面を有する傾斜突起部７１が、上ボディ１および下ボディ２のうち少なくとも一方、または、サイドボディ３に設けられており、かつ、回し締め機構７の一組の対偶の他方として、サイドボディ３の回転によって傾斜突起部７１の傾斜面７１１または螺旋面に沿って相対的に移動して当該傾斜面７１１または螺旋面に対して上ボディ１および下ボディ２を互いに押し当てる力を与える第１突起部７２と、第２突起部またはフランジ部７３とが、傾斜突起部７１が上ボディ１と下ボディ２のうち少なくとも一方に設けられている場合には、サイドボディ３に設けられており、傾斜突起部７１がサイドボディ３に設けられている場合には、上ボディ１と下ボディ２のうち少なくとも一方に設けられている。
【００５２】
このような構成を有することから、フィルタユニットの内部に、フィルタ５を、さらに高い信頼性を以て継続的に、かつさらに確実に気密または液密に、保持することが可能となる。
【００５３】
（５）  また、フィルタ５が、皺や捩れの生じやすい傾向にあるＰＴＦＥからなるフィルタやシート状またはメンブレン状のフィルタである場合に、本実施形態に係るフィルタユニットは特に好適である。
【００５４】
（６）  また、本実施形態に係るフィルタユニットは、ＰＴＦＥからなるフィルタやシート状またはメンブレン状のフィルタが用いられることの多い吸引器を用途先とする場合に、特に好適である。
【００５５】
＜定義等＞
−  本発明における「回し締め機構の一組の対偶」の「対偶」とは、機構学で謂うところの「対偶」である。具体的には、上述の実施形態で説明した如く、傾斜突起部７１がその「一組の対偶」を構成する一方の対偶要素であり、第１突起部７２およびフランジ部７３が、他方の対偶要素である。これら一組の対偶要素が協働して、「回し締め機構」が成り立ち、機能することとなる。
【符号の説明】
【００５６】
１  上ボディ
２  下ボディ
３  サイドボディ
４  シールリング
５  フィルタ
７  回し締め機構
８  回転止め機構
１１  吐出管路
１２  天板部
１３  側部
７１  傾斜突起部
７２  第１突起部
７３  フランジ部
８１  回転止め凹部
８２  回転止め凸部
１０１  フィルタ上部支持面
１０２  上部支持突条
２０１  フィルタ下部支持面
２０２  下部支持突条
７１１  傾斜面
【図１】
2020175031.tif 000003
【図２】
2020175031.tif 000004
【図３】
2020175031.tif 000005
【図４】
2020175031.tif 000006
【図５】
2020175031.tif 000007
【図６】
2020175031.tif 000008
【図７】
2020175031.tif 000009
【図８】
2020175031.tif 000010